(57)【要約】便座に触れる必要なく、便座をその上昇位置に旋回し、かつその水平位置に旋回して戻すための、便座昇降装置。第１のレバーアームが、一端においてトルク伝達機構の第１の部分に、その他端において足ペダルに強固に取り付けられ、第２のレバーアームが、一端においてトルク伝達機構の第２の部分に、その他端において便座に強固に取り付けられる。その水平位置における便座については、ペダル上の下向きの力が、トルク伝達機構の第１の部分の回転運動を生成し、それが、便座をその上昇位置に旋回させるトルク伝達機構の第２の部分の反対側の回転運動を生成する。ペダルの持ち上げは、好ましくは押上げ力をペダルの下に与えることによって、水平位置まで便座を降ろす。好ましい実施態様において、第１のレバーアーム上に位置決め可能なカウンターウェイトが、その旋回軸のまわりに便座の重量によって生成されるトルクに部分的に対抗する一定のトルクを形成するように設けられる。好ましい実施態様において、トルク伝達機構の第１および第２の部分は、両方ともカムである。【特許請求の範囲】
【請求項１】
便器に回転可能に接続された便座を昇降させるための便座昇降装置であって、
Ａ．足ペダル、
Ｂ．第１の部分および第２の部分を備えるトルク伝達機構、
Ｃ．前記トルク伝達機構の前記第１の部分に一端で、および前記足ペダルに別の端部で、強固に取り付けられた第１のレバーアーム、
Ｄ．前記トルク伝達機構の前記第２の部分に一端で、および前記便座に別の端部で、強固に取り付けられた第２のレバーアーム、を備え、
その水平位置における前記便座については、前記足ペダル上の下向きの力が、前記トルク伝達機構の前記第２の部分の反対側の回転を生成する前記トルク伝達機構の前記第１の部分の回転を生成して、前記便座をその上昇位置に旋回させ、そしてその上昇位置における前記便座については、前記足ペダルの下に加えられる押上げ力が、前記トルク伝達機構の前記第２の部分の反対側の回転を生成する前記トルク伝達機構の前記第１の部分の回転を生成して、前記便座をその水平位置に旋回させる、ことを特徴とする便座昇降装置。
【請求項２】
前記トルク伝達機構の前記第１の部分は第１ギアであり、そして、前記トルク伝達機構の前記第２の部分は第２ギアであり、前記第１ギアは、前記第２ギアと物理的に係合される、ことを特徴とする請求項１に記載の便座昇降装置。
【請求項３】
前記第１ギアあるいは前記第２ギアのどちらかは単一歯を備え、前記第１ギアあるいは前記第２ギアのもう一方は前記単一歯を収容する片面グルーブを備える、ことを特徴とする請求項２に記載の便座昇降装置。
【請求項４】
前記トルク伝達機構の前記第１の部分は第１カムであり、そして、前記トルク伝達機構の前記第２の部分は第２カムであり、前記第１カムは、前記第２カムと物理的に係合される、ことを特徴とする請求項１に記載の便座昇降装置。
【請求項５】
前記第１カムあるいは前記第２カムのどちらかは単一歯を備え、前記第１カムあるいは前記第２カムのもう一方は前記単一歯を収容する片面グルーブを備える、ことを特徴とする請求項４に記載の便座昇降装置。
【請求項６】
前記第１のレバーアームに取り付けられたカウンターウェイトを更に備える、ことを特徴とする請求項１に記載の便座昇降装置。
【請求項７】
前記カウンターウェイトは、前記第１のレバーアームに摺動的に取り付けられる、ことを特徴とする請求項６に記載の便座昇降装置。
【請求項８】
前記便器に取り付けられた筐体装置を更に備え、前記筐体装置は、前記第１のレバーアーム、前記第２のレバーアームおよび前記トルク伝達機構を収容するためにある、ことを特徴とする請求項１に記載の便座昇降装置。
【請求項９】
前記便器は、リップを備え、前記第１のレバーアーム、前記第２のレバーアームおよび前記トルク伝達機構は、前記リップに強固に取り付けられる、ことを特徴とする請求項１に記載の便座昇降装置。
【請求項１０】
前記第２のレバーアームを収容するための取付けクリップを更に備える、ことを特徴とする請求項１に記載の便座昇降装置。
【請求項１１】
前記第２のレバーアームを収容するための取付けスロットを更に備える、ことを特徴とする請求項１に記載の便座昇降装置。
【請求項１２】
前記筐体装置を前記便器に接続するためのアダプタブラケットを更に備える、ことを特徴とする請求項８に記載の便座昇降装置。
【請求項１３】
前記足ペダルは、クラッチ／クレーン受け口を備える、ことを特徴とする請求項１に記載の便座昇降装置。
【請求項１４】
前記便座は、前記第２のレバーアームによって下方へ前記水平位置の方へ引っ張られる、ことを特徴とする請求項１に記載の便座昇降装置。
【請求項１５】
前記便座は、重力によって下方へ前記水平位置の方に押される、ことを特徴とする請求項１に記載の便座昇降装置。
【請求項１６】
前記第１ギアは第１ギヤ歯を備え、前記第２ギアは第２ギア歯を備え、前記第１ギヤ歯は、前記第２ギア歯と嵌合する、ことを特徴とする請求項２に記載の便座昇降装置。
【請求項１７】
前記単一歯は、前記片面グルーブと嵌合する、ことを特徴とする請求項５に記載の便座昇降装置。
【請求項１８】
便器に回転可能に接続された便座を昇降させるための便座昇降装置であって、
Ａ．第１のレバーアーム第１の端部と第１のレバーアーム第２の端部を備える第１のレバーアーム手段、
Ｂ．前記第１のレバーアーム第１の端部に接続される回転運動を伝達するための第１の手段、
Ｃ．回転運動を伝達するための前記第１の手段と物理的に係合される回転運動を伝達するための第２の手段、および
Ｄ．第２のレバーアーム第１の端部で回転運動を伝達するための前記第２の手段に接続される第２のレバーアーム手段であって、第２のレバーアーム第２の端部で前記便座と接触する第２のレバーアーム手段、を備え、
前記第１のレバーアーム第２の端部で前記第１のレバーアームに力を加えることにより、前記第２のレバーアーム第２の端部に、前記回転可能に接続された便座に力を加えさせて前記回転可能に接続された便座を持ち上げる、ことを特徴とする便座昇降装置。
【請求項１９】
回転可能に接続された便座を持ち上げるための方法であって、以下のステップ、すなわち、
Ａ．便座持上装置を便器に取り付けるステップであって、前記便座持上装置が、
１．第１のレバーアーム第１の端部と第１のレバーアーム第２の端部を備える第１のレバーアーム手段、
２．前記第１のレバーアーム第１の端部に接続される回転運動を伝達するための第１の手段、
３．回転運動を伝達するための前記第１の手段と物理的に係合される回転運動を伝達するための第２の手段、および
４．第２のレバーアーム第１の端部で回転運動を伝達するための前記第２の手段に接続される第２のレバーアーム手段であって、第２のレバーアーム第２の端部で前記便座と接触する第２のレバーアーム手段、を備える、ステップと、
Ｂ．前記第１のレバーアーム第２の端部で前記第１のレバーアームに力を加え、前記第２のレバーアーム第２の端部に、前記回転可能に接続された便座に力を加えさせて前記回転可能に接続された便座を持ち上げる、ステップと、を含む方法。
【請求項２０】
便器に回転可能に接続された便座を昇降させるための便座昇降装置であって、
Ａ．第１のレバーアーム第１の端部と第１のレバーアーム第２の端部を備える第１のレバーアーム手段、
Ｂ．前記第１のレバーアーム第１の端部に接続される第１のレバーアームギア、
Ｃ．前記第１のレバーアームギアと物理的に係合される第２のレバーアームギア、および
Ｄ．第２のレバーアーム第１の端部で前記第２のレバーアームギアに接続される第２のレバーアームであって、第２のレバーアーム第２の端部で前記便座と接触する第２のレバーアーム、を備え、
前記第１のレバーアーム第２の端部で前記第１のレバーアームに力を加えることにより、前記第２のレバーアーム第２の端部に、前記回転可能に接続された便座に力を加えさせて前記回転可能に接続された便座を持ち上げる、ことを特徴とする便座昇降装置。
【発明の詳細な説明】
【技術分野】
【０００１】
本発明は便器に、特に便座昇降装置に関する。
【背景技術】
【０００２】
図１４は、従来技術便器２００を示す。便座２０２は、便器２００に回転可能に接続されている。便器を使用するのに、女性は通常便座２０２に座って排尿し、および／または排便する。対照的に、男性は通常排尿する前に便座２０２を持ち上げ、および排便するためにだけそれに座る。それで、もし便座が上がっているならば、女性は排尿あるいは排便するためにそれを降ろす必要があり、男性は排便するためにそれを降ろす必要がある。
人間の排泄物へのその近接のため、便座を持ち上げる行為は、潜在的に有害である可能性がある。便座上のおよび便座の下のバクテリアおよび排泄物が、便器を使用する個人の手の上へつく可能性がある。この問題を改善するために、ユーザーが自分の手を使用することなく便座を持ち上げることを可能にするように設計されている従来技術のいくつかの装置がある。しかし、これらの装置は、作るのが複雑で製造したり購入したりするのが高価である。また、それらはそれらの貧弱な設計、非実用性および衛生工事規則に対する固守の欠如のために商業的に現実的でない。
必要なことは、より良い便座昇降装置である。
【発明の開示】
【０００３】
本発明は、便座に触れる必要なく、便座をその上昇位置に旋回し、かつその水平位置に旋回して戻すための、便座昇降装置を提供する。第１のレバーアームが、一端においてトルク伝達機構の第１の部分に、その他端において足ペダルに強固に取り付けられ、第２のレバーアームが、一端においてトルク伝達機構の第２の部分に、その他端において便座に強固に取り付けられる。その水平位置における便座については、ペダル上の下向きの力が、トルク伝達機構の第１の部分の回転運動を生成し、それは、便座をその上昇位置に旋回させるトルク伝達機構の第２の部分の反対側の回転運動を生成する。ペダルの持ち上げは、好ましくは押上げ力をペダルの下に与えることによって、水平位置まで便座を降ろす。好ましい実施態様において、第１のレバーアーム上に位置決め可能なカウンターウェイトが、その旋回軸のまわりに便座の重量によって生成されるトルクに部分的に対抗する一定のトルクを形成するように設けられる。好ましい実施態様において、トルク伝達機構の第１および第２の部分は、両方ともカムである。
【発明を実施するための最良の形態】
【０００４】
第１の好ましい実施態様
本発明の第１の好ましい実施態様が、図１内に示される。第１の好ましい実施態様は、筐体１０１、アダプタブラケット１０２、第１の端部において小さなギア１０４に接続される第２のレバーアーム１０３を含む。第２のレバーアーム１０３は、取付けクリップ１１２内で便座１１１にその第２の端部で摺動的に取り付けられる。また、第１の好ましい実施態様は一端でペダル１０８に、他端で大きなギア１０６に接続される第１のレバーアーム１０５を含む。ギア１０４および１０６は、トルク伝達機構を形成し、それによって、足ペダル１０８に加えられたトルクは、レバー挿入穴１０７を通して筐体１０１内に延伸する第２のレバーアーム１０３を通して便座１１１へ伝達される。
第１のレバーアーム１０５は、図２および図３のように床の方へ便器１００の横に筐体１０１から離れて延伸する。第１のレバーアーム１０５は、好ましくはペダル１０８とねじ１１０によって調整可能なカウンターウェイト１０９とを含む。図３に示すように、第２のレバーアームは、便座１１１の底面に取り付けられた取付けクリップ１１２内で摺動する。図４に示すように、便座１１１はユーザーがペダル１０８上に自分の足を押圧することによって上げられ、ペダル１０８の下に自分の足を置いて上の方へペダル１０８を持ち上げることによって降ろされる。ユーザーが自分の足によってペダル１０８を押下げると、第１のレバーアーム１０５は、下方へ回転し（図４に図示されるように、反時計回りに）、大きなギア１０６を反時計回りに回転させ、それは、次に小さなギア１０４および第２のレバーアーム１０３を時計回りに回転させる。第２のレバーアーム１０３の時計回りは、便座１１１の時計回りをもたらす。押上げ力が、便座１１１を持ち上げる。逆に、便座１１１はユーザーがペダル１０８の下に自分の足を置き、ペダル１０８を上方へ持ち上げることによって降ろされる。
便座１１１が持ち上げられると、第２のレバーアーム１０３は取付けクリップ１１２の一端から他端まで摺動する。図４に示すように、便座１１１は第２のレバーアーム１０３の小さな角度回転だけで持ち上げられる。
【０００５】
図１に示すように、第１の好ましい実施態様は、蝶ねじ１２０を含む。蝶ねじ１２０は、筐体１０１の外側から内部まで通る。ユーザーが、ペダル１０８上に足を踏み出すにつれて、ギア１０６は反時計回りに回転し、ギア１０４は時計回りに回転する（また、図４も参照）。ギア１０４が時計回りに回転するにつれて、スタブ１３０が、ねじ１２０と接触する。これは、第２のレバーアーム１０３の回転を止め、便座１１１が便器タンク１２１にぶつかることを防ぐ（図２および３）。
カウンターウェイト
カウンターウェイト１０９は、好ましくはペダル１０８と第１のレバーアーム角１１４との間の第１のレバーアーム１０５の長さを上下に移動可能である。一度カウンターウェイト１０９が適切に配置されると、その位置は締め付けねじ１１０によって固着される。カウンターウェイト１０９の機能は、便座の旋回位置のまわりに便座の重量によって形成されるトルクに対抗するトルクを形成することである。例えば、カウンターウェイト１０９がペダル１０８により近く移動されるにつれて、第２のレバーアーム１０３は便座１１１の底面上により大きな角度力を発揮する。カウンターウェイト１０９の好ましい位置は、便座の降ろされた位置でペダル１０８上の小さな下向きの力だけが便座をその完全な上向きの位置まで持ち上げるために必要になるように、カウンターウェイト１０９および大きなレバーアーム１０５によって形成されるトルクが便座１１１の重量によって形成されるトルクとほぼ（しかし完全にではなく）つりあうものである。したがって、便座１１１が降ろされるにつれて、第２のレバーアーム１０３によって発揮される力とカウンターウェイト１０９によって形成される追加の重量とが便座１１１の下降を遅くする助けとなり、したがって、便座１１１が便器の縁の上に乱暴に置かれることを防ぐ助けとなる。
ペダル
ペダル１０８は、ペダルの上側表面の下の空間１２２がペダル１０８を持ち上げるための足の位置を定めることを可能にするように成形される。ペダルは、好ましくは第１のレバーアーム１０５の挿入を可能にする多数の穴１２３（図５）を備えている。ユーザーは、第１のレバーアーム１０５を挿入するために穴のどれかを選択することができる。便座１１１が持ち上げられる時に、ペダル１０８が静止する床より上の距離は、それによって調節される。
【０００６】
第１の好ましい実施態様を設置するための好ましい方法
図１４、１５Ａおよび１５Ｂは、従来技術便器２００を示す。従来技術便器２００は、リップ２０１、ボルト２０３、蝶番２０７および便座２０２を含む。
第１の好ましい実施態様を設置するための方法は、極めて単純であり、非常にすばやく達成されることができ、様々な便器種類、形状および寸法に使用されることができる。例えば、図１６Ａ−１６Ｂは第１の好ましい実施態様を設置するための好ましい方法を例示する。
好ましくは、取付けクリップ１１２が最初に便座２０２にねじ止めされる。次いで、第２のレバーアーム１０３が、取付けクリップ１１２と便座２０２の間に配置される。次いで、既存のボルト２０３が、リップ２０１の下にアダプタブラケット１０２をボルトで固定するために使用される。
第１の好ましい実施態様は、ここで、上で説明されるそれに類似した方法に従う準備が整っている。
【０００７】
第２の好ましい実施態様
第２の好ましい実施態様は、筐体３０１（図６）およびカム３０４および３０６を含む。カム３０４および３０６は、第１の好ましい実施態様内に示されるギア１０４および１０６から変更されていることに留意する必要がある。（読者は、カム３０４および３０６はまた、単一歯のあるギアあるいはカムギヤと正しく呼ばれることができることに気づくべきである。カム３０４および３０６がギア１０４および１０６と違って成形されるとはいえ、それらが両方とも第１のレバーアーム１０５から第２のレバーアーム１０３まで回転運動を伝達する類似した機能を有するという点で、カム３０４および３０６はギア１０４および１０６に類似している。）
筐体
カム３０４および３０６を収容することに加えて、筐体３０１はまた、便座１１１を便器１００（図７）に接続するために利用される。したがって、筐体３０１の利用によって、例えば第１の好ましい実施態様に示されるアダプタブラケット１０２のような別個のアダプタブラケットを含むことは、必要でない。好ましくは、ゴムガスケット２７９が筐体３０１と便器１００の間に配置される（図８）。
カム
第２の好ましい実施態様は、上部カム３０４に接続される第２のレバーアーム１０３ピンおよび下部カム３０６に接続される第１のレバーアーム１０５ピンを含む。図６、９および１１−１３に示すように、カム３０４は好ましくは単一歯３０４ａを有する単一歯のギアの一般的な形状であり、カム３０６は単一歯３０４ａを収容する片面グルーブ３０６ａを有する。第２の好ましい実施態様のカムは、第１の好ましい実施態様のギア１０４および１０６を置換する。ギア１０４および１０６のように、カム３０４および３０６は、互いに嵌合し、第１のレバーアーム１０５が第２のレバーアーム１０３に回転運動を伝達するのを可能にする。ギア１０４および１０６とは対照的に、カム３０４は１つの大きな単一歯を有し、カム３０６は１つの大きな片面グルーブを有する。したがって、カム３０４および３０６は長い使用の後、壊れたりあるいは摺り減ったりしそうにない。それらは、また、ギアと比べて製造するのに高価でない。例えば、製造／供給業者から、カム３０４および３０６は、およそそれぞれ０．１５ドルがかかると推定される。比較して、ギア１０４および１０６はおよそそれぞれ４．００ドルがかかる。
【０００８】
第２の好ましい実施態様において、図７および８に示すように、第１のレバーアーム１０５は、床の方へ便器１００の横に筐体３０１から離れて延伸する。クラッチ／クレーンレセプタ２０８を備えたペダル１２６が、第１のレバーアーム１０５の端部に取り付けられる。第２のレバーアーム１０３は、取付けスロット３１２によって便座１１１の側面に挿入される。取付けスロット３１２は、第１の好ましい実施態様の取付けクリップ１１２を置換する。
図９に示すように、便座１１１は足でペダル１２６を押圧することによって持ち上げられる。ユーザーが自分の足でペダル１２６を押圧すると、第１のレバーアーム１０５は反時計回りに回転し、第２のレバーアーム１０３を時計回りに回転させる。第２のレバーアーム１０３の時計回りは、第２のレバーアーム１０３に便座１１１上へ押上げ力を発揮させる。押上げ力が、便座１１１を持ち上げる。逆に、便座１１１は、ユーザーがペダル凹部１２２（図１０）に自分の足を置いてペダル１２６を上方へ持ち上げることによって降ろされる。
便座１１１が持ち上げられると、第２のレバーアーム１０３は取付けスロット３１２の一端から他端まで摺動し、便座１１１が第１のレバーアーム１０５の小さな角度回転αだけで角度βによって持ち上げられることを可能にする。この角度回転は、図１１−１３内に示される。
図９および１１−１３に示すように、蝶ねじ１２５は筐体１０１の内部に外側から通る。便座１１１が上げられる際、蝶ねじ１２５は第２のレバーアーム１０３の停止位置を制御するために使用される。停止位置を制御することによって、便座１１１が便器タンク１２１にぶつかるのを防ぐ。ロックナット１２５ｂが、蝶ねじ１２５の位置が使用中に偶然に偏位しないよう確実にする助けとするために利用される。
【０００９】
ペダル
ペダル１２６は、好ましくはおよそ１．５パウンドの重さである。ユーザーが自分の足を置くための場所として機能することに加えて、ペダル１２６の追加の重量は、ペダルが、また、カウンターウェイトとしても機能することを可能にする。第１の好ましい実施態様において論じられたカウンターウェイト１０９と同様に、釣り合ったペダル１２６は、便座１１１の下降を遅くするのを助け、したがって、便座１１１が便器の縁の上に乱暴に置かれることを防ぐのを助ける。
図９および１０に示すように、ペダル１２６はペダルを持ち上げるための足を置く空間１２２を含むように成形される。第１の好ましい実施態様と同様に、ペダル１２６は第１のレバーアーム１０５の挿入を可能にする多数の穴１２３を備えている。ペダル１２６の最上部はクラッチあるいは杖の先端に対応するクラッチ／杖受け口２０８を含み、ハンディキャップを負う個人にとってペダルを下へ押すことをより容易にする。
【００１０】
第３の好ましい実施態様
第３の好ましい実施態様が、図１７−１９内に示される。第１の好ましい実施態様のように、便座２０２は蝶番２０７を経て便器２１０に接続され、アダプタブラケット１０２がリップ２０１にボルトで固定される。しかし、第３の好ましい実施態様では、取付けクリップあるいは取付けスロットを利用することは、必要でない。図１９で、ユーザーがペダル１０８上に足を踏み出し、第２のレバーアーム１０３は、以前の実施態様に関して上記したと同様に、便座２０２上に押上げ力を発揮した。蝶番２０７は、便座２０２が図１８内に示される位置と図１９内に示される位置との間で蝶番のまわりに容易に旋回することを可能にする。図１９で、便座２０２は、完全に垂直でなく、むしろわずかに左に傾いていることに留意する必要がある。
便座２０２を降ろすために、ユーザーはペダル１０８の下に自分の足を置いて、以前の実施態様に関して上記したと同様に、上方へ持ち上げる。便座２０２に働く重力が、第２のレバーアーム１０３が図１８内に示される位置に向かうにつれて、便座を降ろす。また、第３の好ましい実施態様が、また、好ましくは止ナット１２５ｂに類似した止ナットを含み（図１１−１３内に示す）、更に、好ましくは、ガスケット２７９（図８内に示す）に類似したガスケットを含む、ことに注意すべきである。
【００１１】
好ましいペダル
図２０−２２は、好ましいペダル２６１を示す。好ましいペダル２６１は、内部おもり２６２を含む。１つの好ましい実施態様において、おもり２６２はおよそ２パウンドの重さである。ペダル２６１は、上部穴２６３経由であるいは下部穴２６４経由で第１のレバーアーム１０５に接続されることができる。ペダル２６１をより高い便器（すなわち１７インチの便器）に対して上部穴２６３（図２１）経由で第１のレバーアーム１０５に接続することが好ましく、ペダル２６１をより背が低い便器（すなわち１４−インチ便器）に対して下部穴２６４（図２２）経由で第１のレバーアーム１０５に接続することが、好ましい。ペダル２６１は、また、水平な部分２６８の下に長い縦部分２６７を含む。縦部分２６７は、ユーザーが、便座を降ろすためにペダル２６１を持ち上げる場合に、自分の足を置く追加の空間を可能にする。
上記の好適な実施態様が特異性と共に記載されたとはいえ、この技術の当業者は、上記の開示された具体的な実施態様に対する多くの変更が、本発明の趣旨から逸脱することなくなされることができることを認識するであろう。したがって、添付の請求の範囲およびそれらの法的等価物が、本発明の有効範囲を決定するべきである。
【図面の簡単な説明】
【００１２】
【図１】従来技術の第１の好ましい実施態様を示す。
【図２】従来技術の第１の好ましい実施態様を示す。
【図３】従来技術の第１の好ましい実施態様を示す。
【図４】従来技術の第１の好ましい実施態様を示す。
【図５】好ましいペダルを示す。
【図６】従来技術の第２の好ましい実施態様を示す。
【図７】従来技術の第２の好ましい実施態様を示す。
【図８】従来技術の第２の好ましい実施態様を示す。
【図９】従来技術の第２の好ましい実施態様を示す。
【図１０】別の好ましいペダルを示す。
【図１１】好ましいギアおよびギアフォロアを示す。
【図１２】好ましいギアおよびギアフォロアを示す。
【図１３】好ましいギアおよびギアフォロアを示す。
【図１４】従来技術便器を示す。
【図１５Ａ】従来技術便器を示す。
【図１５Ｂ】従来技術便器を示す。
【図１６Ａ】第１の好ましい実施態様を設置するための好ましい方法を示す。
【図１６Ｂ】第１の好ましい実施態様を設置するための好ましい方法を示す。
【図１７】第３の好ましい実施態様を示す。
【図１８】第３の好ましい実施態様を示す。
【図１９】第３の好ましい実施態様を示す。
【図２０】別の好ましいペダルを示す。
【図２１】別の好ましいペダルを示す。
【図２２】別の好ましいペダルを示す。
【符号の説明】
【００１３】
１０１，３０１        ：筐体
１０２                ：アダプタブラケット
１０３                ：第２レバーアーム
１０４、１０６        ：ギア
１０５                ：第１レバーアーム
１０７，２６３，２６４：レバー挿入穴
１０８，１２６，２０１：ペダル
１０９                ：カウンターウエイト
１１０                ：ねじ
１１１，２０２        ：便座
１１２                ：クリップ
１２１                ：タンク
１２２                ：空間
１２３                ：穴
１２５                ：蝶ねじ
１２５ｂ              ：ロックナット
２００                ：便器
２０１                ：リップ
２０３                ：ボルト
２０７                ：蝶番
２０８                ：受け口
２６２                ：おもり
３０４、３０６        ：カム
３０４ａ              ：単一歯
３１２                ：スロット
【図１】
2008518665.tif 000002
【図２】
2008518665.tif 000003
【図３】
2008518665.tif 000004
【図４】
2008518665.tif 000005
【図５】
2008518665.tif 000006
【図６】
2008518665.tif 000007
【図７】
2008518665.tif 000008
【図８】
2008518665.tif 000009
【図９】
2008518665.tif 000010
【図１０】
2008518665.tif 000011
【図１１】
2008518665.tif 000012
【図１２】
2008518665.tif 000013
【図１３】
2008518665.tif 000014
【図１４】
2008518665.tif 000015
【図１５Ａ】
2008518665.tif 000016
【図１５Ｂ】
2008518665.tif 000017
【図１６Ａ】
2008518665.tif 000018
【図１６Ｂ】
2008518665.tif 000019
【図１７】
2008518665.tif 000020
【図１８】
2008518665.tif 000021
【図１９】
2008518665.tif 000022
【図２０】
2008518665.tif 000023
【図２１】
2008518665.tif 000024
【図２２】
2008518665.tif 000025
【国際調査報告】
2008518665.tif 000026